【手続補正書】
【提出日】平成18年9月25日(2006.9.25)
【手続補正１】
【補正対象書類名】明細書
【補正対象項目名】特許請求の範囲
【補正方法】変更
【補正の内容】
【特許請求の範囲】
【請求項１】
禁止データパターンを回避するためにオーディオ又はビデオのデジタル情報を処理する方法であって、
デジタルワードを含むオーディオ又はビデオのデジタル情報の一区分を受信し、
符号化処理を制御するために符号化キーを入手し、該符号化キーを通じて該一区分の各デジタルワードに用いられる該符号化処理が該禁止データパターンと等しい結果にならないようにし、
符号化された情報を発生させるために、該一区分のデジタルワードに該符号化処理を行い、該符号化キーによって該符号化処理が制御されるようにし、
制御情報及び符号化された情報を送信又は記憶に適した形にアセンブルし、該制御情報が該禁止データパターンと等しくなくかつ該キー情報を通じて該符号化処理に対して相補的な復号処理用の復号キーが入手され得るようにすることから成るオーディオ又はビデオのデジタル情報処理方法。
【請求項２】
該禁止データパターンのブール排他論理和及び該一区分では生じないゼロでないデータパターンから該符号化キーを入手し、該符号化キー及び該一区分の該デジタルワードのブール排他論理和から該符号化された情報を発生させることを特徴とする、請求項１の方法。
【請求項３】
それぞれのデータパターンにつき該一区分内の発生頻度を表わす一連の数値を形成すると共にゼロ発生頻度を有する１つ以上のゼロでないデータパターンを選択することによって、該一区分内では発生しない該データパターンを入手することを特徴とする、請求項２の方法。
【請求項４】
禁止データパターンを回復するために情報を処理する方法であって、
デジタルワード及び制御情報を含む情報の一区分を受信すると共に該制御情報から復号処理を制御する復号キーを引出し、
オーディオ又はビデオ情報を発生させるために該一区分内の該デジタルワードに該復号処理を行い、該禁止データパターンを有する１つ又はそれ以上のデジタルワードを回復するために、該復号キーによって制御されるように該復号処理が行われるようにし、
該復号されたオーディオ又はビデオ情報から出力オーディオ又はビデオ信号を発生させることから成る情報処理方法。
【請求項５】
該符号化処理は、該一区分内に該デジタルワードを有する該復号キーのブール排他論理和から復号されたオーディオ又はビデオ情報を発生させることを特徴とする、請求項４の方法。
【請求項６】
禁止データパターンを回避するためにオーディオ又はビデオのデジタル情報を処理する装置であって、
デジタルワードを含むオーディオ又はビデオのデジタル情報の一区分を受信する装置と、
符号化処理を制御するために符号化キーを入手する装置であって、該符号化キーを通じて該一区分の各デジタルワードに用いられる該符号化処理が該禁止データパターンと等しくない結果になるようにすることを特徴とする装置と、
符号化された情報を発生させるために、該一区分のデジタルワードに該符号化処理を行う装置であって、該符号化キーによって該符号化処理が制御されることを特徴とする装置と、
制御情報及び符号化された情報を送信又は記憶に適した形にアセンブルする装置であって、該制御情報が該禁止データパターンと等しくなくかつ該制御情報を通じて該符号化処理に対して相補的な復号処理用の復号キーが入手され得るようにすることを特徴とする装置とから成るオーディオ又はビデオのデジタル情報処理装置。
【請求項７】
該禁止データパターンのブール排他論理和及び該一区分では生じないゼロでないデータパターンから該符号化キーを入手し、該符号化キー及び該一区分の該デジタルワードのブール排他論理和から該符号化された情報を発生させることを特徴とする、請求項６の装置。
【請求項８】
それぞれのデータパターンにつき該一区分内の発生頻度を表わす一連の数値を形成すると共にゼロ発生頻度を有する１つ又はそれ以上のゼロでないデータパターンを選択することによって、該一区分内では発生しない該データパターンを入手することを特徴とする、請求項７の装置。
【請求項９】
禁止データパターンを回復するために情報を処理する装置であって、
デジタルワード及び制御情報を含む情報の一区分を受信すると共に該制御情報から復号処理を制御する復号キーを引出す装置と、
復号されたオーディオ又はビデオ情報を発生させるために該一区分内の該デジタルワードに該復号処理を行う装置であって、該禁止データパターンを有する１つ又はそれ以上のデジタルワードを回復するために、該復号キーによって制御されるように該復号処理が行われるようにすることを特徴とする装置と、
該復号されたオーディオ又はビデオ情報から出力オーディオ又はビデオ信号を発生させる装置とから成る情報処理装置。
【請求項１０】
該符号化処理装置は、該一区分内に該デジタルワードを有する該復号キーのブール排他論理和から復号されるオーディオ又はビデオ情報を発生させることを特徴とする、請求項２の装置。
【請求項１１】
デジタルワードの一区分を入手するために、該一区分がデジタルワードの閾値数を超えるデジタルワードを含まないように該オーディオ又はビデオデジタル情報を分割することを含み、該閾値数が可能なすべての該デジタルワードの計数未満であることを特徴とする、請求項１の方法。
【請求項１２】
デジタルワードの一区分を入手するために、少なくとも閾値数の異なったデータパターンが該一区分内のあらゆるデジタルワードでは発生しないように該オーディオ又はビデオデジタル情報を分割することを含むことを特徴とする、請求項１の方法。
【請求項１３】
デジタルワードの一区分を入手するために、該一区分がデジタルワードの閾値数を超えるデジタルワードを含まないように該オーディオ又はビデオのデジタル情報を分割する装置を含み、該閾値数が可能なすべての該デジタルワードの計数未満であることを特徴とする、請求項６の装置。
【請求項１４】
デジタルワードの一区分を入手するために、少なくとも閾値数の異なったデータパターンが該一区分内いかなるデジタルワードでも発生しないように該オーディオ又はビデオデジタル情報を分割する装置を含むことを特徴とする、請求項６の装置。
【請求項１５】
デジタルワードの一区分を入手するために、該一区分に該禁止データパターンを有するデジタルワードがないように、該禁止データパターンを有するデジタルワードより前のある位置において該オーディオ又はビデオデジタル情報を分割することを含むことを特徴とする、請求項１の方法。
【請求項１６】
デジタルワードの一区分を入手するために、該一区分に該禁止データパターンを有するデジタルワードがないように、該禁止データパターンを有するデジタルワードより前のある位置において該オーディオ又はビデオデジタル情報を分割する装置を含むことを特徴とする、請求項６の装置。
【請求項１７】
１つ又はそれ以上の禁止データパターンを回避するためにオーディオ又はビデオデジタル情報を処理する方法であって、
該オーディオ又はビデオデジタル情報を受信し、該オーディオ又はビデオデジタル情報が複数のデジタルワードを含むようにし、
任意の該禁止データパターンを有するデジタルワードの前の位置において該オーディオ又はビデオデジタル情報を分割し、任意の禁止データパターンを有するデジタルワードを持たない該位置に先立つデジタルワードの第１区分及び該禁止データパターンの１つを有する１つ又はそれ以上のデジタルワードを有する該位置の後のデジタルワードの第２区分を入手するようにし、
任意の該禁止データパターンを有するデジタルワードを含まない修正された区分を入手するためにデジタルワードの該第２区分を処理し、
該修正された区分を有する制御情報を送信又は記憶に適した形にアセンブルし、該制御情報は、該第２区分がいかにして該修正された区分から回復され得るかを示すようにすることから成るオーディオ又はビデオのデジタル情報処理方法。
【請求項１８】
１つ又はそれ以上の禁止データパターンを回避するためにオーディオ又はビデオデジタル情報を処理する装置であって、
該オーディオ又はビデオデジタル情報を受信する情報受信装置であって、該オーディオ又はビデオデジタル情報が複数のデジタルワードを含むことを特徴とする情報受信装置と、
任意の該禁止データパターンを有するデジタルワードの前の位置において該オーディオ又はビデオデジタル情報を分割する情報分割装置であって、任意の禁止データパターンを有するデジタルワードを持たない該位置に先立つデジタルワードの第１区分及び該禁止データパターンの１つを有する１つ又はそれ以上のデジタルワードを有する該位置の後のデジタルワードの第２区分を入手することを特徴とする情報分割装置と、
任意の該禁止データパターンを有するデジタルワードを含まない修正された区分を入手するためにデジタルワードの該第２区分を処理する装置と、
該修正された区分を有する制御情報を送信又は記憶に適した形にアセンブルするアセンブル装置であって、該制御情報は、該第２区分がいかにして該修正された区分から回復され得るかを示すようにすることを特徴とするアセンブル装置とから成るオーディオ又はビデオのデジタル情報処理装置。